(57)【要約】【課題】オートプリセットに要する時間を短縮させた受信装置、及び同装置によるオートプリセット方法を提供する。【解決手段】現在位置で受信可能な放送チャンネルを記憶するオートプリセット機能を備えた受信装置であって、放送局から送信される放送信号を受信する複数のブランチと、複数のブランチを複数のブランチグループに分割し、各ブランチグループにそれぞれ異なる周波数帯域の放送信号を並行して受信させることにより現在位置で受信可能な放送チャンネルをサーチさせる制御部と、サーチされた放送チャンネルに放送が存在するか否かを判定する放送有無判定部と、放送が存在すると判定された放送チャンネルの放送信号から放送中の番組に関する番組情報を取得する番組情報取得部と、取得された番組情報と対応する放送チャンネルとを関連付けて記憶するプリセット用メモリとを有する受信装置とした。【選択図】        図１
2010279001.tif 000002
【特許請求の範囲】
【請求項１】
現在位置で受信可能な放送チャンネルを記憶するオートプリセット機能を備えた受信装置であって、
放送局から送信される放送信号を受信する複数のブランチと、
前記複数のブランチを複数のブランチグループに分割し、各ブランチグループにそれぞれ異なる周波数帯域の放送信号を並行して受信させることにより現在位置で受信可能な放送チャンネルをサーチさせる制御部と、
サーチされた放送チャンネルに放送が存在するか否かを判定する放送有無判定部と、
前記放送有無判定部により放送が存在すると判定された放送チャンネルの放送信号から放送中の番組に関する番組情報を取得する番組情報取得部と、
前記番組情報取得部により取得された番組情報と対応する放送チャンネルとを関連付けて記憶するプリセット用メモリと
を有することを特徴とする受信装置。
【請求項２】
前記放送有無判定部により放送が存在すると判定された放送チャンネルの放送信号に関する受信強度を判定する受信強度判定部をさらに備え、
前記制御部は、前記受信強度判定部により判定された放送信号の受信強度に応じて、前記番組情報を取得する放送信号の受信に用いる前記ブランチグループの構成ブランチ数を変更することを特徴とする請求項１に記載の受信装置。
【請求項３】
前記番組情報取得部は、各前記ブランチグループにより並行して受信された異なる放送チャンネルの各放送信号から前記番組情報を並行して取得することを特徴とする請求項１又は請求項２に記載の受信装置。
【請求項４】
現在位置で受信可能な放送チャンネルを記憶するオートプリセット機能を備えた受信装置によるオートプリセット方法であって、
放送局から送信される放送信号を受信する複数のブランチを複数のブランチグループに分割するステップと、
各前記ブランチグループにそれぞれ異なる周波数帯域の放送信号を並行して受信させることにより現在位置で受信可能な放送チャンネルをサーチさせるステップと、
サーチされた放送チャンネルに放送が存在するか否かを判定するステップと、
放送が存在すると判定された放送チャンネルの放送信号から放送中の番組に関する番組情報を取得するステップと、
取得された番組情報と対応する放送チャンネルとを関連付けてプリセット用メモリに記憶するステップと
を有することを特徴とするオートプリセット方法。
【発明の詳細な説明】
【技術分野】
【０００１】
本発明は、受信装置及びオートプリセット方法に関するものであり、現在位置で受信可能な放送局をサーチして記憶するオートプリセット機能を備えた受信装置及び同装置によるオートプリセット方法に関するものである。
【背景技術】
【０００２】
従来、放送局から送信されている放送を受信する受信装置として、現在位置で受信可能な放送局の搬送波周波数（以下、「放送チャンネル」という。）を自動的にサーチして所定のメモリに記憶させておくオートプリセット機能を備えた装置が知られている。
【０００３】
オートプリセット機能を備えた受信装置は、ユーザにより放送チャンネルが選択された場合に、選択された放送チャンネルをその都度サーチする必要がなく、メモリに記憶している放送チャンネルの中からユーザに選択された放送チャンネルを即座に選択して放送を受信できるため、迅速な放送チャンネル切替が可能である。
【０００４】
かかる受信装置は、使用される場所が固定であれば、初期設定時に一度オートプリセットを行っておけば、その後オートプリセットを行う必要はないが、使用される場所が固定でない場合、使用場所によって受信可能な放送チャンネルが変わるため、再度オートプリセットを行う必要がある。
【０００５】
例えば、車載テレビに搭載されている受信装置の場合には、車両の走行場所によって、その場所で受信可能な放送チャンネルが変わる。この場合、受信装置は、その場所で再度オートプリセットを行う必要がある。
【０００６】
自動的にオートプリセットを行う受信装置では、各放送局が放送に使用している全周波数帯域を所定周波数毎に順次サーチして現在位置において受信可能な放送チャンネルを特定していた（例えば、特許文献１参照）。
【先行技術文献】
【特許文献】
【０００７】
【特許文献１】特開２００５−２８６７１１号公報
【発明の概要】
【発明が解決しようとする課題】
【０００８】
しかしながら、上記従来の受信装置では、各放送局が放送に使用している全周波数帯域を所定周波数毎に順次サーチして現在位置において受信可能な放送チャンネルを特定していたため、オートプリセットが完了するまでに時間がかかるという問題があった。
【０００９】
例えば、デジタルテレビ放送を受信する受信装置の場合、オートプリセット時には、各放送チャンネル毎に、受信した放送信号からその放送チャンネルに関するTMCC（Transmission and Multiplexing Configuration and Control：伝送制御情報）信号を取得した後、NIT（Network Information Table）、PAT（Program Association Table）、PMT（Program Map Table）等の情報を取得して、放送中の番組情報等を取得する必要がある。
【００１０】
特に、番組情報等は、各放送局から３秒程度の間隔で周期的に送信されているため、１つのチャンネルのプリセットには３〜６秒前後の時間がかかり、数十チャンネルのオートプリセットを行うためには、その数十倍の時間がかかることなる。
【００１１】
受信装置では、オートプリセットの最中にユーザが未だプリセットされていない放送チャンネルへの切替えを行った場合、その放送チャンネルへの切替えを迅速に行うことができないので、オートプリセットに長い時間がかかると、ユーザに不便をかけることとなる。
【００１２】
本発明は、上記に鑑みてなされたものであって、オートプリセットに要する時間を短縮させた受信装置、及び同装置によるオートプリセット方法を提供することを目的とする。
【課題を解決するための手段】
【００１３】
上記課題を解決し、目的を達成するために、本発明は、現在位置で受信可能な放送チャンネルを記憶するオートプリセット機能を備えた受信装置であって、放送局から送信される放送信号を受信する複数のブランチと、前記複数のブランチを複数のブランチグループに分割し、各ブランチグループにそれぞれ異なる周波数帯域の放送信号を並行して受信させることにより現在位置で受信可能な放送チャンネルをサーチさせる制御部と、サーチされた放送チャンネルに放送が存在するか否かを判定する放送有無判定部と、前記放送有無判定部により放送が存在すると判定された放送チャンネルの放送信号から放送中の番組に関する番組情報を取得する番組情報取得部と、前記番組情報取得部により取得された番組情報と対応する放送チャンネルとを関連付けて記憶するプリセット用メモリとを有する受信装置とした。
【発明の効果】
【００１４】
本発明では、複数のブランチグループにそれぞれ異なる周波数帯域の放送信号を並行して受信させることによって現在位置で受信可能な放送チャンネルをスキャンさせることができるため、放送チャンネルを周波数の低い順に順番にスキャンするよりも短時間で放送チャンネルのスキャンを完了させてオートプリセットに要する時間を短縮することができる。
【図面の簡単な説明】
【００１５】
【図１】図１は、本実施形態に係る受信装置及び同装置によるオートプリセット方法の概要を示す説明図である。
【図２】図２は、受信強度に応じたブランチグループの構成ブランチ数の変更例を示す説明図である。
【図３】図３は、本実施形態に係る受信装置の構成を示す機能ブロック図である。
【図４】図４は、本実施形態に係る受信装置の制御部が実行する処理を示すフローチャートである。
【図５】図５は、複数のブランチをブランチグループに分割する場合の変形例を示す説明図である。
【図６】図６は、放送チャンネルのサーチ手順の変形例を示す説明図である。
【発明を実施するための形態】
【００１６】
以下、発明に係る受信装置及び同装置によるオートプリセット方法の一実施形態について、図面を参照して説明する。本実施形態では、デジタルテレビ放送を受信して表示する車載テレビ受信機に内蔵された受信装置に対して本発明を適用した場合を例に挙げて説明する。なお、本発明は、デジタルラジオ受信機、携帯電話、無線機、無線ＬＡＮ（Local Area Network）機器等の受信機全般に対して適用することができる。
【００１７】
まず、本実施形態に係る受信装置が現在位置で受信可能な放送局の搬送波周波数（以下、「放送チャンネル」という。）を自動的にサーチして記憶するオートプリセットの手順について図１を参照して説明する。
【００１８】
図１は、本実施形態に係る受信装置及び同装置によるオートプリセット方法の概要を示す説明図である。図１（ａ）に示すように、本実施形態に係る受信装置は、放送局から送信されるデジタルテレビ信号（以下、「放送信号」という。）を受信する第１ブランチ２、第２ブランチ３、第３ブランチ４、第４ブランチ５という４つの受信系統を備えている。
【００１９】
なお、本実施形態では、受信装置に４つの受信系統を設けているが、受信装置に設ける受信系統の数は４に限定するものではなく、少なくとも２系統以上であれば、任意の数の受信系統を設けても構わない。
【００２０】
受信装置の詳細な構成については、後に図３を参照して説明するが、この受信装置の第１ブランチ２は、放送信号を受信するアンテナ２０と、受信周波数を切替えることによりアンテナ２０に任意の放送チャンネルで放送信号を受信させるチューナ２１と、所定の変調方式によって変調された放送信号を復調する復調部２２とを備えている。
【００２１】
また、第２ブランチ３も同様に、アンテナ３０、チューナ３１、復調部３２を備えており、第３ブランチ４も、アンテナ４０、チューナ４１、復調部４２を備えており、第４ブランチ５も、アンテナ５０、チューナ５１、復調部５２を備えている。
【００２２】
そして、この受信装置は、ユーザにより選択された放送チャンネルで放送信号を受信する場合に、これら複数の受信系統で同一の放送チャンネルの放送信号を受信し、各受信系統で受信された放送信号を合成することによって放送信号に含まれるノイズを除去するダイバーシチ方式を採用している。
【００２３】
また、この受信装置は、車両の走行によって現在位置で受信可能な放送チャンネルが変化した場合に、所定の周波数帯域をスキャンして、その場所で受信可能な放送チャンネルを自動的にサーチして記憶するオートプリセット機能を備えている。
【００２４】
特に、この受信装置は、オートプリセットを行う際に、図１（ａ）に示すように、４系統ある受信系統を２つのブランチグループに分割する。本実施形態では、後述の制御部が４系統ある受信系統を第１ブランチ２と第２ブランチ３とから構成されるＡグループと、第３ブランチ４と第４ブランチ５とから構成されるＢグループという２つのブランチグループに分割する。
【００２５】
そして、受信装置の制御部は、ＡグループとＢグループとに、それぞれ異なる周波数帯域の放送信号を並行して順次受信させることにより、現在位置で受信可能な放送チャンネルをサーチさせる。
【００２６】
以下、Ａグループを構成する各ブランチ（ここでは、第１ブランチ２と第２ブランチ３）による放送チャンネルのサーチをサーチＡ、Ｂグループを構成する各ブランチ（ここでは、第３ブランチ４と第４ブランチ５）による放送チャンネルのサーチをサーチＢという。
【００２７】
本実施形態では、図１（ｂ）に示すように、Ａグループに４７０ＭＨｚの周波数から６２０ＭＨｚまでの周波数帯域を周波数の低い方から順にスキャンさせて受信可能な放送チャンネルのサーチＡを行わせ、Ｂグループに７７０ＭＨｚから６２０ＭＨｚまでの周波数帯域を周波数の高い方から順にスキャンさせて受信可能な放送チャンネルのサーチＢを行わせる。
【００２８】
このとき実行されるサーチＡ、サーチＢでは、各放送チャンネルの周波数帯域に放送中のデジタルテレビ放送（以下、「放送」という。）が存在するか否かを判定する放送有無判定が行われる。
【００２９】
このように、本実施形態の受信装置では、デジタルテレビで使用される周波数帯域の最低周波数側と最高周波数側とから同時にサーチＡとサーチＢとを開始し、サーチ対象の周波数が最高周波数と最低周波数との中心周波数（ここでは、６２０ＭＨｚ）になった時点でサーチＡ及びサーチＢを終了する。
【００３０】
そのため、この受信装置によれば、デジタルテレビで使用される周波数帯域の最低周波数から最高周波数へ向けて順番にサーチ対象の周波数帯域を高めながら次受信可能な放送チャンネルをサーチしていた従来の受信装置に比べて、半分の時間で各放送チャンネルに放送が存在するか否の判定を完了させることができる。
【００３１】
また、受信装置は、１つの放送チャンネルに関する放送有無判定を行う際に、複数のブランチでダイバーシチ受信した複数の放送信号に基づいて放送有無判定を行うので、１つのブランチで受信した放送信号に基づいて１つの放送チャンネルの放送有無判定を行った場合に比べて精度よく放送有無判定を行うことができる。
【００３２】
その後、受信装置は、図１（ｃ）に示すように、前述の放送有無判定によって放送が存在すると判定された放送チャンネルで受信した放送信号から、その放送チャンネルで放送中の番組に関する番組情報等を取得する。
【００３３】
そして、受信装置は、取得した番組情報等と該番組情報を取得した放送チャンネルとを関連付けてプリセット用メモリに記憶することによってオートプリセットを行う。このときも受信装置は、複数のブランチグループにより複数の放送チャンネルの放送信号を同時に並行して受信して、その放送信号から各放送チャンネルの番組情報等を取得する。
【００３４】
このように、本実施形態の受信装置は、番組情報等の取得時にも、複数のブランチグループにより並行して複数の放送チャンネルの放送信号を受信し、受信した各放送信号から番組情報等を取得する。
【００３５】
そのため、この受信装置によれば、受信可能な全放送チャンネルに関する番組情報等の取得完了までに要する時間を短縮することができ、オートプリセットの開始から完了までの時間を効率的に短縮することができる。
【００３６】
さらに、この受信装置は、放送有無判定により放送が存在すると判定された放送チャンネルの放送信号に関する受信強度を判定する。そして、受信装置の制御部は、判定された受信強度に応じて、番組情報等を取得する放送信号の受信に用いるブランチグループの構成ブランチ数を変更して放送信号の受信を行わせる。
【００３７】
本実施形態では、受信装置の制御部は、受信した放送信号の受信強度を「高」・「中」・「低」の３段階で判定し、その判定結果に応じた数のブランチを各ブランチグループに割当てる設定を行う。図２は、受信強度に応じたブランチグループの構成ブランチ数の変更例を示す説明図である。
【００３８】
受信装置の制御部は、受信した放送信号の受信強度を「高」と判定した場合、図２（ａ）に示すように、各ブランチグループ内のブランチ数を「１」に設定変更する。
【００３９】
具体的には、制御部は、並行して受信している複数の放送信号に受信強度が「高」と判定された放送信号が４つ存在していた場合、第１ブランチ２によりＡグループを構成し、第２ブランチ３によりＢグループを構成させ、第３ブランチ４によりＣグループを構成させ、第４ブランチ５によりＤグループを構成する。
【００４０】
そして、制御部は、このように１つのブランチで構成した各ブランチグループに、受信強度が「高」と判定された異なる放送チャンネルの４つの放送信号をそれぞれ並行して受信させて番組情報等を取得させる。
【００４１】
これにより、この受信装置によれば、例えば、放送有無判定により放送が存在すると判定された全放送チャンネルの放送信号が全て受信強度「高」と判定されていた場合に、各放送信号を４系統全ての受信系統で受信して番組情報等を取得させた場合と比べて１／４の時間で番組情報等の取得を完了することができる。
【００４２】
また、受信装置の制御部は、受信した放送信号の受信強度を「中」と判定した場合、図２（ｂ）に示すように、各ブランチグループ内のブランチ数を「２」に設定変更する。
【００４３】
具体的には、制御部は、並行して受信している複数の放送信号に受信強度が「中」と判定された放送信号が２つ存在していた場合、第１ブランチ２と第２ブランチ３とによりＡグループを構成し、第３ブランチ４と第４ブランチ５とによりＢグループを構成する。
【００４４】
そして、制御部は、このように２つのブランチで構成した各ブランチグループに、受信強度が「中」と判定された異なる放送チャンネルの２つの放送信号をそれぞれ並行して受信させて番組情報等を取得させる。
【００４５】
これにより、この受信装置によれば、例えば、放送有無判定により放送が存在すると判定された全放送チャンネルの放送信号が全て受信強度「中」と判定されていた場合に、各放送信号を４系統全ての受信系統で受信して番組情報等を取得させた場合と比べて１／２の時間で番組情報等の取得を完了することができる。
【００４６】
しかも、この受信装置は、受信強度が「中」と判定された放送信号については、同一の放送信号を２つの受信系統でダイバーシチ受信して番組情報等を取得するので、受信強度が「高」と判定された放送信号に比べてノイズの影響が予想される受信強度「中」の放送信号からダイバーシチ方式によるノイズ除去を行って番組情報等の取得を行うことができる。
【００４７】
また、受信装置の制御部は、受信した放送信号の受信強度を「低」と判定した場合、図２（ｃ）に示すように、ブランチグループ内のブランチ数を「４」に設定変更する。
【００４８】
具体的には、制御部は、並行して受信している複数の放送信号に受信強度が「低」と判定された放送信号が存在していた場合、第１ブランチ２と第２ブランチ３と第３ブランチ４と第４ブランチ５とによりＡグループを構成する。
【００４９】
そして、制御部は、このように４つのブランチで構成したブランチグループに、受信強度が「低」と判定された放送信号を受信させて番組情報等を取得させる。このように、受信装置は、受信強度が「低」と判定された放送信号については、同一の放送信号を４つある全ての受信系統でダイバーシチ受信して番組情報等を取得する。
【００５０】
そのため、この受信装置によれば、ノイズの影響により正常受信が困難な受信強度「低」の放送信号から全ブランチを使用したダイバーシチ方式によりノイズ除去を行って番組情報等を取得することができるので、放送の受信が比較的困難な場所でも的確に番組情報等を取得して、効率よくオートプリセットを行うことができる。
【００５１】
次に、本実施形態に係る受信装置の構成について、図３を参照して具体的に説明する。図３は、本実施形態に係る受信装置の構成を示す機能ブロック図である。なお、同図では、本実施形態に係る受信装置の特徴を説明するために必要な構成要素のみを示しており、一般的な構成要素についての記載を省略している。
【００５２】
図３に示すように、本実施形態に係る受信装置１は、第１ブランチ２、第２ブランチ３、第３ブランチ４、第４ブランチ５、プリセット用メモリ６、信号合成部７、放送再生部８、チャンネル切替操作部９、制御部１０等を備えている。
【００５３】
第１ブランチ２は、それ単体で放送信号を受信可能な一つの受信系統を構成するものであり、アンテナ２０と、チューナ２１と、切替部２３と、復調部２２と、位相同期部２４と、番組有無判定部２５と、受信強度判定部２６と、番組情報取得部２７とを備えている。
【００５４】
また、第２ブランチ３も、アンテナ３０と、チューナ３１と、切替部３３と、復調部３２と、位相同期部３４と、番組有無判定部３５と、受信強度判定部３６と、番組情報取得部３７とを備えている。
【００５５】
また、第３ブランチ４も、アンテナ４０と、チューナ４１と、切替部４３と、復調部４２と、位相同期部４４と、番組有無判定部４５と、受信強度判定部４６と、番組情報取得部４７とを備えている。
【００５６】
また、第４ブランチ５も、アンテナ５０と、チューナ５１と、切替部５３と、復調部５２と、位相同期部５４と、番組有無判定部５５と、受信強度判定部５６と、番組情報取得部５７とを備えている。
【００５７】
これら第１ブランチ２、第２ブランチ３、第３ブランチ４、第４ブランチ５は、いずれも同様の構成であるため、ここでは、第１ブランチの構成についてのみ説明することとする。
【００５８】
チューナ２１は、制御部１０から入力される制御信号により指定された放送チャンネルの放送信号をアンテナ２０に受信させる同調回路である。本実施形態では、このチューナ２１は、ＯＦＤＭ（Orthogonal Frequency Division Multiplexing：直交波周波数分割多重）変調された放送信号を受信して、その放送信号を復調部２２へ出力する。
【００５９】
復調部２２は、チューナ２１から入力される放送信号をＯＦＤＭ復調することによってＴＳ（Transport Stream）パケットに返還して位相同期部２４へ出力する処理部である。ＯＦＤＭ復調は公知の技術であるため、ここでは簡単に説明する。
【００６０】
この復調部２２は、チューナ２１から入力される時間領域の放送信号をＡ／Ｄ（アナログ／デジタル）変換した後、ＦＦＴ（高速フーリエ変換：Fast Fourier Transform）して周波数領域の放送信号に変換し、逆マッピングを行うことによって放送信号のＯＦＤＭ復調を行う。
【００６１】
また、この復調部２２と位相同期部２４との間には、制御部１０の制御に基づいてＯＮ／ＯＦＦする切替部２３が設けられている。後に詳述するが、本実施形態では、制御部１０がこの切替部２３をＯＮ／ＯＦＦ制御することによって、複数のブランチを複数のブランチグループに分割制御する。
【００６２】
位相同期部２４は、第１ブランチ２と他のブランチ（例えば、第２ブランチ３）とにより放送信号のダイバーシチ受信を行う場合、第１ブランチ２で受信した放送信号と他のブランチで受信した放送信号との位相同期を行い、その放送信号を後段の番組有無判定部２５、番組情報取得部２７、信号合成部７へ出力する処理部である。
【００６３】
番組有無処理部２５は、位相同期部２４から入力された放送信号からＴＭＣＣ（Transmission and Multiplexing Configuration and Control：伝送制御情報）を取得し、その取得結果に基づいて、チューナ２１に設定されているスキャン中の放送チャンネルに放送が存在するか否かを判定する処理部である。
【００６４】
ＴＭＣＣは、放送信号の複合化に必要な伝送パラメータ情報等が含まれた情報群により構成されており、各放送局から３００ｍｓ周期程度の比較的短い時間間隔で送信される情報である。
【００６５】
番組有無判定部２５は、チューナ２１に設定されているスキャン中の放送チャンネルでこのＴＭＣＣの取得に成功した場合に、その放送チャンネルに放送が存在すると判定する。また、番組有無判定部２５は、所定時間（例えば、３００ｍｓ）が経過してもＴＭＣＣを取得できなかった場合に、スキャン中の放送チャンネルに放送が存在しないと判定する。
【００６６】
受信強度判定部２６は、番組有無判定部２５により放送が存在すると判定された放送チャンネルの放送信号の受信強度を判定して、その判定結果を制御部１０へ出力する処理部である。
【００６７】
この受信強度判定部２６は、第１ブランチ２で受信した放送信号の振幅を検出し、振幅が所定の振幅範囲以内であった場合に、受信強度を「中」と判定する。
【００６８】
また、受信強度判定部２６は、検出した放送信号の受信強度が前述の振幅範囲よりも高かった場合に受信強度を「高」と判定し、受信強度が前述の振幅範囲よりも低かった場合に受信強度を「低」と判定する。
【００６９】
番組情報取得部２７は、番組有無判定部２５により放送が存在すると判定された放送チャンネルの放送信号から番組情報等として、ＮＩＴ（Network Information Table）、ＰＡＴ（Program Association Table）、ＰＭＴ（Program Map Table）等を取得し、プリセット用メモリ６へ出力する処理部である。
【００７０】
ＮＩＴには、放送信号を受信した放送チャンネルのチャンネル番号や周波数情報、変調方式、ガードインターバル等、ネットワークに関する情報が含まれている。また、ＰＭＴには、放送中の番組の音声や映像を構成する各パケットを識別するためのＰＩＤ（パケットＩＤ）等が含まれている。また、ＰＡＴには、あるＴＳ内に含まれる番組の一覧がＰＭＴのＰＩＤ一覧として格納されている。
【００７１】
プリセット用メモリ６は、フラッシュメモリ等の不揮発性記憶装置により構成しており、番組情報取得部２７から入力されるＮＩＴ、ＰＡＴ、ＰＭＴ等の情報と、これらの情報を取得した放送信号に対応する放送チャンネルとを関連付けて記憶する。
【００７２】
また、第１ブランチ２の復調部２２と第２ブランチ３の復調部３２との間、第２ブランチ２の復調部３２と第３ブランチの復調部４２との間、第３ブランチ４の復調部４２と第４ブランチ５の復調部５２との間には、制御部１０の制御に従ってＯＮ／ＯＦＦする切替部６１、６２、６３がそれぞれ設けられている。
【００７３】
後に詳述するが、本実施形態では、制御部１０がこれらの切替部６１、６２、６３をＯＮ／ＯＦＦ制御することによって、複数のブランチを複数のブランチグループに分割制御する。
【００７４】
信号合成部７は、４つの各ブランチ又は、制御部１０の制御により形成された各ブランチグループから入力される各放送信号を最大比合成して放送再生部８へ出力する処理部である。
【００７５】
この信号合成部７は、入力される各放送信号の位相を同期させた上で、各放送信号の受信強度に応じた重み付けを行った後、各放送信号を加算（合成）処理することにより放送信号の最大比合成を行う。
【００７６】
放送再生部８は、信号合成部７から入力された最大比合成後の放送信号（ＴＳパケット）を複合化処理するデコーダと、複合化された放送信号をＤ／Ａ（デジタル／アナログ）変換するＤ／Ａコンバータとを備えている。
【００７７】
放送再生部８のＤ／ＡコンバータによりＤ／Ａ変換された音声の放送信号は、スピーカへ出力されて出音され、映像の放送信号はディスプレイへ出力されてテレビ画像として表示される。
【００７８】
チャンネル切替操作部９は、ユーザが視聴する放送チャンネルを切替えるために操作する操作ボタンである。このチャンネル切替操作部９は、ユーザによるチャンネル切替操作を受付けると、その操作に応じた操作信号を制御部１０へ出力する。
【００７９】
制御部１０は、チャンネル切替操作部９から入力される操作信号に基づいて、各チューナ２１、３１、４１、５１に受信させる放送チャンネルを設定する。
【００８０】
また、この制御部１０は、各受信強度判定部２６、３６、４６、５６から入力される放送信号に関する受信強度の判定結果に基づいて、現在位置で受信可能な放送チャンネルが変化したと判定した場合に、オートプリセットを実行する。
【００８１】
制御部１０がオートプリセットを行う際に実行する処理については、後に図４を参照して説明するが、この制御部１０は、オートプリセットを行う際に、切替部２３、３３、４３、５３、６１、６２、６３のＯＮ／ＯＦＦ制御を行うことによって、複数のブランチを複数のブランチグループに分割する。
【００８２】
そして、制御部１０は、分割して形成した各ブランチグループに放送信号を受信させて現在地で受信可能な放送チャンネルをサーチさせ、サーチした放送チャンネルをプリセット用メモリ６へ記憶させる。
【００８３】
具体的には、制御部１０は、各受信強度判定部２６、３６、４６、５６による受信強度の判定結果に基づいて、それまで受信していた放送信号の受信強度が所定時間継続して予め設定された下限値を下回った場合に、現在位置で受信可能な放送チャンネルが変化したと判定してオートプリセットを開始する。
【００８４】
オートプリセットを開始すると制御部１０は、まず、切替部６２をＯＦＦとし、切替部６１、６３をＯＮとすることによって、第１ブランチ２と第２ブランギ３とから構成するブランチグループ（Ａグループ）を形成する。
【００８５】
また、このとき制御部１０は、切替部２３、４３をＯＮとし、切替部３３、５３をＯＦＦとすることによって、第３ブランチ４と第４ブランチ５とから構成するブランチグループ（Ｂグループ）を形成する。
【００８６】
そして、制御部１０は、チューナ２１、３１にデジタルテレビ放送で使用されている最低周波数から高い周波数へ向けて受信可能な放送チャンネルのサーチＡを行わせると共に、チューナ４１、５１にデジタルテレビ放送で使用されている最高周波数から低い周波数へ向けて受信可能な放送チャンネルのサーチＢを順次行わせる。
【００８７】
そして、制御部１０は、番組有無判定部２５、４５にそれぞれ各放送チャンネルについての放送有無判定を行わせる。その後、制御部１０は、放送有無判定の結果、放送が存在すると判定された各放送チャンネルに関する番組情報等を取得させる。
【００８８】
このとき、制御部１０は、受信強度が「高」と判定された放送信号については、切替部２３、３３、４３、５３、６１、６２、６３をＯＮ／ＯＦＦ制御をして、１つのブランチから構成したブランチグループを形成し、そのブランチグループに放送信号を受信させて番組情報等を取得させる。
【００８９】
また、制御部１０は、受信強度が「中」と判定された放送信号については、切替部２３、３３、４３、５３、６１、６２、６３をＯＮ／ＯＦＦ制御して、２つのブランチから構成したブランチグループを形成し、そのブランチグループに放送信号を受信させて番組情報等を取得させる。
【００９０】
また、制御部１０は、受信強度が「低」と判定された放送信号については、切替部２３、３３、４３、５３、６１、６２、６３をＯＮ／ＯＦＦ制御して、４つのブランチから構成したブランチグループを形成し、そのブランチグループに放送信号を受信させて番組情報等を取得させる。
【００９１】
次に、この制御部１０がオートプリセットを行う際に実行する処理について、図４を参照して説明する。図４は、本実施形態に係る受信装置１の制御部１０が実行する処理を示すフローチャートである。なお、ここでは、オートプリセットに関連する処理について説明することとし、それ以外の処理については説明を省略する。
【００９２】
図４に示すように、制御部１０は、受信装置に電源が投入されると、まず、現在位置で受信可能な放送チャンネルが変化したか否かの判定を行い（ステップＳ１）、受信可能な放送チャンネルが変化したと判定した場合に（ステップＳ１：Ｙｅｓ）、処理をステップＳ２へ移す。
【００９３】
一方、制御部１０は、現在地で受信可能な放送チャンネルが変化していないと判定した場合（ステップＳ１：Ｎｏ）、処理を終了する。なお、この図４に示す一連の処理は、受信装置１に電源が投入されている間、制御部１０によって繰り返し実行される。
【００９４】
ステップＳ２において、制御部１０は、Ａグループ（第１ブランチ２・第２ブランチ３）によるサーチＡと、グループＢ（第３ブランチ４・第４ブランチ５）によるサーチＢとを開始させ、その後、処理をステップＳ３へ移す。
【００９５】
ステップＳ３において、制御部１０は、サーチＡ及びサーチＢの結果、ＴＭＣＣの取得に成功した放送チャンネル（ＴＭＣＣ取得チャンネル）が存在するか否かの判定を行い、ＴＭＣＣ取得チャンネルが存在したと判定した場合に（ステップＳ３：Ｙｅｓ）、処理をステップＳ４へ移す。一方、制御部１０は、ＴＭＣＣ取得チャンネルが存在しなかったと判定した場合（ステップＳ３：Ｎｏ）、処理をステップＳ２へ移す。
【００９６】
ステップＳ４において、制御部１０は、ＴＭＣＣ取得チャンネルの放送信号に関する受信強度が「高」であるか否かの判定を行い、「高」であると判定した場合に（ステップＳ４：Ｙｅｓ）、処理をステップＳ５へ移す。一方、制御部１０は、受信強度が「高」でないと判定した場合（ステップＳ４：Ｎｏ）、処理をステップＳ７へ移す。
【００９７】
ステップＳ５において、制御部１０は、各ブランチグループに異なる放送チャンネルの放送信号から並行してＮＩＴ、ＰＡＴ、ＰＭＴ等の番組情報を含む情報を取得させ、その後、処理をステップＳ６へ移す。
【００９８】
また、制御部１０は、受信した放送信号の受信強度が「高」でないと判定された場合に（ステップＳ４：Ｎｏ）、その放送信号の受信強度が「中」であると判定されたか否かの判定を行う（ステップＳ７）。
【００９９】
そして、制御部１０は、受信した放送信号の受信強度が「中」であると判定された場合に（ステップＳ７：Ｙｅｓ）、Ａグループ（第１ブランチ２・第２ブランチ３）とＢグループ（第３ブランチ４・第４ブランチ５）とに異なる放送チャンネルの放送信号から並行してＮＩＴ、ＰＡＴ、ＰＭＴ等の番組情報を含む情報を取得させ（ステップＳ８）、その後、処理をステップＳ６へ移す。
【０１００】
一方、制御部１０は、受信した放送信号の受信強度が「中」でないと判定された場合（ステップＳ７：Ｎｏ）、受信強度を「低」と判定してＡグループ（全ブランチ）に同一の放送チャンネルの放送信号から同時にＮＩＴ、ＰＡＴ、ＰＭＴ等の番組情報を含む情報を取得させ（ステップＳ９）、その後、処理をステップＳ６へ移す。
【０１０１】
ステップＳ６において、制御部１０は、ステップＳ５、又はステップＳ８、又はステップＳ９で取得された情報をプリセット用メモリ６に記憶させ、その後、処理を終了して再度ステップＳ１から処理を開始する。そして、制御部１０は、受信装置１に電源が投入されている間、図４のフローチャートに示す処理を繰り返し実行する。
【０１０２】
以上説明したように、本実施形態に係る受信装置１は、放送チャンネルのオートプリセットを行う場合に、第１ブランチ２、第２ブランチ３、第３ブランチ４、第４ブランチ５という複数のブランチの組み合わせからなる複数のブランチグループを形成し、各ブランチグループにそれぞれ異なる放送チャンネルの放送信号を並行して受信させることによって、現在位置で受信可能な放送チャンネルをサーチさせる。
【０１０３】
そのため、この受信装置１によれば、１又は複数のブランチによって、周波数が低い方から順番に放送チャンネルをサーチした場合よりも短時間で放送チャンネルのサーチを完了させることができるので、オートプリセットに要する時間を短縮することができる。
【０１０４】
また、この受信装置１は、サーチした放送チャンネルに放送が存在すると判定した場合に、その放送チャンネルで受信された放送信号の受信強度に応じて放送信号を受信させるブランチグループの構成ブランチ数を変更する。
【０１０５】
このとき受信装置１は、受信した放送信号の受信強度が弱いほど、その放送信号を受信させるブランチグループの構成ブランチ数を多くし、そのブランチグループを構成する複数のブランチによって放送信号をダイバーシチ受信させる。
【０１０６】
そのため、この受信装置１によれば、比較的受信強度が弱い放送信号からでも精度よく番組情報等を取得することができるので、同一の放送チャンネルについて繰り返し回番組情報等を取得する必要がなく、これによってもオートプリセットに要する時間を短縮することができる。
【０１０７】
また、受信装置１は、受信した放送信号の受信強度が強いほど、その放送信号を受信させるブランチグループの構成ブランチ数を少なくすることでブランチグループ数を増加させ、各ブランチグループによって異なる放送チャンネルの放送信号を並行して受信させる。
【０１０８】
そして、受信装置１は、複数の各ブランチグループにより受信された各放送信号から並行して番組情報等を取得する。これにより、全チャンネルの番組情報の取得完了までに要する時間が短縮可能となり、オートプリセットに要する時間を短縮することができる。
【０１０９】
また、上記した実施形態では、複数のブランチをブランチグループに分割する際に、各ブランチグループの構成ブランチ数が同数になる場合について説明したが、各ブランチグループの構成ブランチ数は必ずしも同数にする必要はない。
【０１１０】
図５は、複数のブランチをブランチグループに分割する場合の変形例を示す説明図である。同図に示すように、複数のブランチグループに分割する場合、第１ブランチ２と第２ブランチ３と第３ブランチ４とによりＡグループを構成し、第４ブランチ５によりＢを構成してもよい。
【０１１１】
このようにＡグループ及びＢグループを構成すれば、受信強度が「高」の放送信号をＢグループにより受信させ、受信強度が「中」の放送信号をＡグループにより受信させることができる。
【０１１２】
これにより、通常は２つのブランチで構成したブランチグループで受信する受信強度「中」の放送信号を、３つのブランチで構成したブランチグループで受信することができるので、受信強度「中」の放送信号からより正確に番組情報等を取得することができる。
【０１１３】
また、上記実施形態では、現在位置で受信可能な放送チャンネルのサーチを行う際に、デジタルテレビ放送で使用される周波数帯域の最低周波数と最高周波数とから、これら最低周波数と最高周波数との中心周波数へ向けて平行して放送チャンネルのサーチを行ったが、放送チャンネルのサーチ手順もこれに限定するものではない。
【０１１４】
図６は、放送チャンネルのサーチ手順の変形例を示す説明図である。同図に示すように、放送チャンネルのサーチを行う場合、例えば、４７０ＭＨｚ〜５４５ＭＨｚまでの周波数帯域の放送信号を第１ブランチ２からなるＡグループに受信させて放送チャンネルをサーチさせるサーチＡと、５４５ＭＨｚ〜６２０ＭＨｚまでの周波数帯域の放送信号を第２ブランチ３からなるＢグループに受信させて放送チャンネルをサーチさせるサーチＢと、６９５ＭＨｚ〜６２０ＭＨｚまでの周波数帯域の放送信号を第３ブランチ４からなるＣグループに受信させて放送チャンネルをサーチさせるサーチＣと、７７０ＭＨｚ〜６９５ＭＨｚまでの周波数帯域の放送信号を第４ブランチ５からなるＤグループに受信させて放送チャンネルをサーチさせるサーチＤとを並行して実行させてもよい。
【０１１５】
このように、４つのブランチグループにより、それぞれ異なる周波数帯域について放送チャンネルのサーチを並行して実行させることによって、放送チャンネルのサーチが完了するまでに要する時間を更に短縮して、オートプリセットにかかる時間をより一層短縮することができる。
【符号の説明】
【０１１６】
１  受信装置
２  第１ブランチ
３  第２ブランチ
４  第３ブランチ
５  第４ブランチ
６  プリセット用メモリ
７  信号合成部
８  放送再生部
９  チャンネル切替操作部
１０  制御部
２０、３０、４０、５０  アンテナ
２１、３１、４１、５１  チューナ
２２、３２、４２、５２  復調部
２３、３３、４３、５３  切替部
２４、３４、４４、５４  位相同期部
２５、３５、４５、５５  番組有無判定部
２６、３６、４６、５６  受信強度判定部
２７、３７、４７、５７  番組情報取得部
【図１】
2010279001.tif 000003
【図２】
2010279001.tif 000004
【図３】
2010279001.tif 000005
【図４】
2010279001.tif 000006
【図５】
2010279001.tif 000007
【図６】
2010279001.tif 000008